【手続補正書】
【提出日】平成18年10月26日(2006.10.26)
【手続補正１】
【補正対象書類名】明細書
【補正対象項目名】特許請求の範囲
【補正方法】変更
【補正の内容】
【特許請求の範囲】
【請求項１】
スイッチングセルのためのクロストーク防止装置であって、入力導波路からの光信号が、前記入力導波路と第１出力導波路の間の第１領域における流体の有無に従って前記第１出力導波路と第２出力導波路に交互に導かれ、前記第１領域が、流体操作可能な第１のスイッチ機構の一部であるように構成され、
前記第１領域に前記流体が不在の場合に前記入力導波路から前記第２出力導波路への光路を形成するように配置された中間導波路及び流体操作可能な第２のスイッチ機構を含み、前記中間導波路は、前記入力導波路に対して９５度から１５０度の角度で前記第１領域から延存し、前記第２のスイッチ機構は、前記中間導波路と前記第２出力導波路の間に第２領域を形成するように配置される、クロストーク防止装置。
【請求項２】
前記第１のスイッチ機構及び前記第２のスイッチ機構における流体を操作するための制御手段を更に含み、前記第１のスイッチ機構の透過状態と反射状態の間での切り替えは、前記第２のスイッチ機構を前記透過状態又は前記反射状態とは反対の状態に切り替えることと同時に実施される、請求項１に記載のクロストーク防止装置。
【請求項３】
前記制御手段は、前記第１のスイッチ機構及び前記第２のスイッチ機構における前記流体に対して熱を導通するヒータを含む、請求項３に記載のクロストーク防止装置。
【請求項４】
前記第２のスイッチ機構と交差する第２入力導波路を更に含み、前記第２出力導波路は、前記第２領域に流体が不在の場合に前記第２入力導波路に結合され、前記第２領域が前記流体を有している場合に前記中間導波路に結合される、請求項１に記載のクロストーク防止装置。
【請求項５】
前記第２入力導波路に沿って光の方向を変えるように配置されたミラーを更に含み、前記第２入力導波路の角は前記ミラーの位置に配置され、前記角は９５度から１５０度の範囲の角度を画定する、請求項４に記載のクロストーク防止装置。
【請求項６】
前記第１のスイッチ機構及び前記第２のスイッチ機構は、前記第１領域及び前記第２領域を含むギャップ内の流体を操作する熱駆動装置である、請求項１に記載のクロストーク防止装置。
【請求項７】
前記入力導波路及び中間導波路は、基板上の少なくとも１つのパターニング層によって画定され、前記ギャップは、前記少なくとも１つのパターニング層を通るトレンチである、請求項６に記載のクロストーク防止装置。
【請求項８】
前記第１出力導波路と前記第２出力導波路のうちのいずれか一方が、スイッチングセルのマトリクス中の異なるスイッチングセルに光学的に結合される、請求項１に記載のクロストーク防止装置。
【請求項９】
前記中間導波路に対して９５度から１５０度の範囲の角度で前記第２領域と交差し、前記第１のスイッチ機構と前記第２のスイッチ機構の組み合わせた状態を検出する監視導波路を更に含む、請求項１に記載のクロストーク防止装置。
【請求項１０】
光信号を第１出力及び第２出力に交互に導くためのプッシュプルスイッチ装置であって、
前記光信号を受信するように接続された第１端部、及び第１のギャップと交差する第２端部を有する入力経路と、
前記第１のギャップ及び第２のギャップ内で移動可能な流体であって、前記入力経路と同様の屈折率を有し、前記流体が前記入力経路に整列している場合に、前記光信号が前記第１のギャップ内を通って伝搬するように構成される流体と、
前記流体が前記入力経路に整列している場合に、前記入力経路にほぼ整列した状態で前記第１のギャップと交差し、前記光信号を受信する第１出力経路と、
前記第１のギャップと交差する第１端部、及び前記第２のギャップと交差する第２端部を有し、前記流体が前記入力経路に整列していない場合に、前記入力経路に対して９５度から１５０度の範囲の角度に整列し、前記第１のギャップにおいて反射が発生したときに、前記入力経路から前記光信号を受信するように構成された中間経路と、
前記流体が前記入力経路に整列せず、前記中間経路と第２出力経路の間に整列している場合に、前記中間経路にほぼ整列した状態で前記第２のギャップと交差し、前記中間経路から前記光信号を受信するように構成された第２出力経路と
からなるプッシュプルスイッチ装置。
【請求項１１】
前記入力経路、前記出力経路、及び前記中間経路はそれぞれ基板上の導波路であり、前記第１のギャップ及び前記第２のギャップは個別のトレンチであり、各トレンチは前記流体と同じ体積を有し、前記流体を操作するための少なくとも１つのヒーターを有する、請求項１０に記載のプッシュプルスイッチ装置。
【請求項１２】
前記中間経路に対して９０度よりも大きな角度で前記第２のギャップと交差し、前記第２のギャップにおいて反射された光を受け取るように構成された監視導波路を更に含む、請求項１０に記載のプッシュプルスイッチ装置。
【請求項１３】
前記第２出力経路に対して９０度よりも大きな角度で前記第２のギャップと交差し、前記第２のギャップにおける光の反射によって前記第２出力経路に光学的に結合される第２入力経路を更に含む、請求項１２に記載のプッシュプルスイッチ装置。
【請求項１４】
光信号を第１出力と第２出力に交互に導くためのプッシュプルスイッチ装置であって、
熱によって移動可能な流体を有する第１のギャップと交差する入力導波路と、
前記入力導波路の反対側において前記第１のギャップと交差する第１出力導波路であって、前記流体が前記入力導波路と出力導波路の間に位置している場合に、前記入力導波路に整列した状態で光学的に結合される第１出力導波路と、
前記入力導波路と同じ側において前記第１のギャップと交差する中間導波路であって、前記流体が前記入力導波路に整列していない場合に、前記入力導波路に対して９０度未満の角度を成して前記入力導波路に光学的結合するように構成された中間導波路と、
前記中間導波路の反対側において前記第２のギャップと交差する第２出力導波路であって、第２の量の前記熱によって移動可能な流体が前記中間導波路と第２出力導波路の間の位置にある場合に、前記中間導波路と第２出力導波路が光学的に結合されるように、前記中間導波路にほぼ整列する第２出力導波路と、
前記第１のギャップに対する前記流体の操作から分離され、前記第２出力導波路と同じ側において前記第２のギャップと交差する第２入力経路であって、前記第２の量が第２入力経路に対して整列していない場合に、第２入力経路と前記第２出力導波路が光学的に結合されるように構成された第２入力経路と
からなるプッシュプルスイッチ装置。
【請求項１５】
前記中間導波路と同じ側において前記第２のギャップと交差し、前記中間導波路に対して９０度未満の角度を成す監視導波路を更に含む、請求項１４に記載のプッシュプルスイッチ装置。
【請求項１６】
前記第１のギャップ及び前記第２のギャップに対して熱を伝達し、前記流体を熱によって操作するヒータを更に含む、請求項１４に記載のプッシュプルスイッチ装置。
【請求項１７】
スイッチングセルのためのクロストーク防止装置であって、入力導波路からの光信号が、前記入力導波路と前記第１出力導波路の間の第１領域における流体の有無に従って前記第１出力導波路と第２出力導波路に交互に導かれ、前記第１領域が、流体操作が可能な第１のスイッチ機構の一部であるように構成され、
中間導波路と、前記第１領域に前記流体が不在の場合に前記入力導波路から前記第２出力導波路への光路を形成するように配置された、流体操作が可能な第２のスイッチ機構とを含み、前記中間導波路は、前記入力導波路に対して９０度よりも大きな角度で前記第１領域から延在し、前記第２のスイッチ機構は、前記中間導波路と前記第２出力導波路の間に第２領域を形成するように配置され、
前記第１のスイッチ機構から光学的に分離され、前記第２のスイッチ機構と交差する第２入力経路であって、前記第２領域に前記流体が不在である場合に前記第２出力導波路が前記第２入力経路に接続され、前記第２領域が前記流体を有している場合に前記第２出力導波路が前記中間導波路に接続されるように構成された第２入力経路と
からなるクロストーク防止装置。
【請求項１８】
前記入力導波路に対する前記中間導波路の角度は、９５度から１５０度の範囲の角度である、請求項１７に記載のクロストーク防止装置。